(57)【要約】【課題】被施療者の足先とふくらはぎをマッサージする凹状受部と脚受部とを一体に揺動可能とした足用マッサージ機を提供する。【解決手段】被施療者の足先を挿入する凹状受部70と、被施療者のふくらはぎを挿入する脚受部74を有し、凹状受部70及び脚受部74の側面及び／又は底面にマッサージ手段を有する足用マッサージ機において、床面に載置されるベース部20と、該ベース部20に対して前後に揺動に配備されたリクライニング可動部50と、を有しており、前記凹状受部70及び脚受部74は、リクライニング可動部50に形成され、一体に揺動するようにした。【選択図】  図１
2007268002.tif 000002
【特許請求の範囲】
【請求項１】
被施療者の足先を挿入する凹状受部と、被施療者のふくらはぎを挿入する脚受部を有し、凹状受部及び脚受部の側面及び／又は底面にマッサージ手段を有する足用マッサージ機において、
床面に載置されるベース部と、
該ベース部に対して前後に揺動に配備されたリクライニング可動部と、を有しており、
前記凹状受部及び脚受部は、リクライニング可動部に形成され、一体に揺動することを特徴とする足用マッサージ機。
【請求項２】
凹状受部及び脚受部の側面及び／又は底面に配置されるマッサージ手段は、エアバッグであって、該エアバッグに圧縮空気を送給するエアポンプは、ベース部に配置される請求項１に記載の足用マッサージ機。
【請求項３】
前記エアバッグとエアポンプとを連通する配管には、電磁弁を有しており、該電磁弁は、リクライニング可動部に配備され、電磁弁のプランジャーの往復移動方向が、床面に対して水平、且つ、リクライニング可動部の揺動方向に対して直交するように配置される請求項２に記載の足用マッサージ機。
【請求項４】
凹状受部及び脚受部は、リクライニング可動部に一体に凹設されている請求項１乃至請求項３の何れかに記載の足用マッサージ機。
【請求項５】
脚受部は、凹状受部とは別体に構成され、凹状受部に連結機構を介して連繋されており、該連結機構は、脚受部を凹状受部に対して、前後に傾動可能に支持する請求項１乃至請求項３の何れかに記載の足用マッサージ機。
【請求項６】
脚受部は、凹状受部とは別体に構成され、凹状受部に連結機構を介して連繋されており、該連結機構は、脚受部を凹状受部に対して、上下に移動可能に支持する請求項１乃至請求項３の何れか又は請求項５に記載の足用マッサージ機。
【請求項７】
リクライニング可動部は、揺動中心が、揺動角度に応じて移動するように、ベース部に支持される請求項１乃至請求項６の何れかに記載の足用マッサージ機。
【請求項８】
ベース部に又はリクライニング可動部の少なくとも一方には、湾曲したレール部を有しており、他方には、該レール部に沿って摺動するローラ部を有する請求項１乃至請求項７の何れかに記載の足用マッサージ機。
【請求項９】
ローラ部は、前後の異なる位置に少なくとも２つ配備される請求項８に記載の足用マッサージ機。
【請求項１０】
ベース部及びリクライニング可動部には、夫々湾曲したレール部と該レール部に沿って摺動するローラ部を有する請求項８に記載の足用マッサージ機。
【請求項１１】
リクライニング可動部は、被施療者が凹状受部に足先を載せて全荷重を加えたときに、重心位置が揺動中心よりも前方に位置する請求項１乃至請求項１０の何れかに記載の足用マッサージ機。
【請求項１２】
リクライニング可動部は、無負荷の状態で、ベース部に対して最も起立した状態となるように、重心位置を調整している請求項１乃至請求項１１の何れかに記載の足用マッサージ機。
【請求項１３】
リクライニング可動部は、無負荷の状態で、ベース部に対して最も起立した状態となるように付勢されている請求項１乃至請求項１１の何れかに記載の足用マッサージ機。
【請求項１４】
ベース部の底面には、床面に対して、ベース部が前後に動くことを防止するためのブレーキ手段を有する請求項１乃至請求項１３の何れかに記載の足用マッサージ機。
【請求項１５】
ベース部の底面には、床面に対して、ベース部を前後に移動可能とする車輪が支持されている請求項１４に記載の足用マッサージ機。
【請求項１６】
ブレーキ手段は、上端がリクライニング可動部に当接可能であり、下端がベース部の底面から出没可能なブレーキ部材を有しており、該ブレーキ部材は、上向きに付勢され、リクライニング可動部に所定値以上の荷重が加わったときに、リクライニング可動部によって押し下げられて、下端が床面と当接する請求項１４又は請求項１５に記載の足用マッサージ機。
【請求項１７】
車輪は、ベース部の底面に形成された車輪ハウジングに対して、上下に移動可能且つ下向きに付勢された状態で支持されており、リクライニング可動部に所定値以上の荷重が加わったときに、車輪がベース部内に押し上げられ、車輪ハウジングの一部に当接することで回転不能となってブレーキ手段を構成する請求項１５に記載の足用マッサージ機。
【請求項１８】
車輪は、ベース部の底面に形成された車輪ハウジングに対して、上下に移動可能且つ下向きに付勢された状態で支持されており、ベース部の底面にブレーキ部材を具え、リクライニング可動部に所定値以上の荷重が加わったときに、車輪がベース部内に押し上げられ、ブレーキ部材が床面に当接することで回転不能となってブレーキ手段を構成する請求項１５に記載の足用マッサージ機。
【発明の詳細な説明】
【技術分野】
【０００１】
本発明は、被施療者の足先及びふくらはぎをマッサージする足用マッサージ機に関するものであり、より具体的には、施療角度を変えることのできる足用マッサージ機に関する。
【背景技術】
【０００２】
被施療者の足先及びふくらはぎをマッサージする足用マッサージ機が知られている。
例えば、特許文献１に記載の足用マッサージ機は、被施療者の足先を挿入する足先用ユニットと、被施療者のふくらはぎを挿入するふくらはぎ用ユニットを具える。足先用ユニット及びふくらはぎ用ユニットには、夫々エアバッグ等、被施療者にマッサージを施すマッサージ手段が配備されている。
特許文献１の足用マッサージ機は、床面に載置される足先用ユニットに対して、ふくらはぎ用ユニットを前後に傾動可能に連結しており、足先を足先用ユニットに載せた状態で、ふくらはぎを後方に倒すと、ふくらはぎの角度に応じて、ふくらはぎ用ユニットが後方に傾くようにしている。
上記構成とすることで、被施療者が寝転んだ状態でも、マッサージを受けることができる。
【０００３】
【特許文献１】特開２００５−２４５８０３号公報
【発明の開示】
【発明が解決しようとする課題】
【０００４】
上記足用マッサージユニットは、ふくらはぎ用ユニットを、足先用ユニットに対して傾動させる構成であるため、例えば、被施療者が椅子等に腰掛けた状態でマッサージを受ける際に、足先用ユニットが椅子等に近い位置にあると、ふくらはぎ用ユニットを後方に倒そうとすると、椅子等に当たるため、倒すことはできなかった。
また、足先用ユニットが傾動する構成ではないため、ふくらはぎ用ユニットを後方に傾けたときに、ふくらはぎと足先の角度が、自然なリラックスした状態から変化して、ふくらはぎに対して足先が伸びた状態となり、ふくらはぎや足先の筋、筋肉が突っ張ったり緊張して、血流が悪くなることがあり、十分なマッサージ効果を得ることができなくなる可能性があった。
【０００５】
本発明の目的は、被施療者の足先とふくらはぎをマッサージする凹状受部と脚受部とを一体に揺動可能とした足用マッサージ機を提供することである。
【課題を解決するための手段】
【０００６】
上記課題を解決するために本発明の足用マッサージ機は、
被施療者の足先を挿入する凹状受部と、被施療者のふくらはぎを挿入する脚受部を有し、凹状受部及び脚受部の側面及び／又は底面にマッサージ手段を有する足用マッサージ機において、
床面に載置されるベース部と、
該ベース部に対して前後に揺動に配備されたリクライニング可動部と、を有しており、
前記凹状受部及び脚受部は、リクライニング可動部に形成され、一体に揺動するようにした。
【発明の効果】
【０００７】
凹状受部と脚受部を有するリクライニング可動部が、ベース部に対して揺動する構成としたことにより、リクライニング可動部は、前方へスライドしながら傾斜するから、後方に椅子等があってもぶつかることなく、倒すことができる。
【０００８】
また、凹状受部と脚受部の角度が一定のまま、一体に揺動させることができるから、リクライニング可動部を倒したときに、ふくらはぎに対して足先が伸びてしまうことがない。従って、リクライニング可動部を倒しても、ふくらはぎや足先の筋、筋肉が突っ張ることはなく、筋、筋肉が弛緩し、リラックスした状態を維持できる。
従って、血管が圧迫されたり、血流が阻害されることはなく、マッサージ効果を高い状態で受けることができる。
【発明を実施するための最良の形態】
【０００９】
以下、本発明の足用マッサージ機(10)について、図面に沿って説明する。
＜実施例１＞
図１は、本発明の足用マッサージ機(10)を斜め前方から見た斜視図、図２は、斜め後方から見た斜視図、図３は、底面側から見た斜視図である。また、図４は、図１の線Ｘ−Ｘに沿う断面図、図５は、ベース部(20)からリクライニング可動部(50)を取り外した状態を示す斜視図、図６は、リクライニング可動部(50)を下方から見た斜視図である。さらに、図７は、図１の線Ｙ−Ｙに沿う断面図であって、リクライニング可動部(50)が起立した状態を示しており、図８は、リクライニング可動部(50)が後傾した状態を示す断面図、図９は、図１の線Ｚ−Ｚに沿う断面図であって、リクライニング可動部(50)が起立した状態を示しており、図１０は、リクライニング可動部(50)が後傾した状態を示す断面図である。なお、図７乃至図１０は、レール部(30)(60)の形状をわかりやすく示すものであり、内部構造等を省略又は簡略化して示している。
【００１０】
図に示すように、足用マッサージ機(10)は、床面に載置されるベース部(20)と、該ベース部(20)に揺動可能に支持されるリクライニング可動部(50)から構成される。リクライニング可動部(50)には、後述するように、被施療者の足先を収容する凹状受部(70)と、被施療者のふくらはぎを収容する脚受部(74)が形成されており、凹状受部(70)及び脚受部(74)の側面及び／又は底面には、エアバッグ等の公知のマッサージ手段が複数配備される。
【００１１】
ベース部(20)は、内部中空の樹脂製ケーシング(21)から形成される。ベース部(20)の内部には、リクライニング可動部(50)にマッサージ手段として配備されるエアバッグ(80)(81)(82)(83)に圧縮空気を送給するエアポンプ(12)、制御基板や電源ユニット(図示せず)が収容される。
【００１２】
ベース部(20)の左右上部には、図４及び図５に示すように、前後方向に伸びる左右一対のレール部(以下「第１レール部(30)(30)」という)が形成されている。第１レール部(30)(30)は、夫々下向きに湾曲した断面矩形形状であり、上面中央には、長手方向に沿って幅狭のスリット(31)が形成されている。第１レール部(30)(30)には、後述するリクライニング可動部のローラ部(以下「第２ローラ部(64)(64)」という)が転動可能に嵌まる。
第１レール部(30)(30)は、湾曲形状であればよく、図７及び図８に示すように、前方が円弧状であり、後方に近づくにつれて、直線状となる形状を例示できる。このような形状とすることで、リクライニング可動部(50)の揺動の際に、リクライニング可動部(50)が固定支点(仮想支点)を中心とする揺動運動ではなく、揺動中心が前方にスライドしつつ傾動して、被施療者の足に負担のない動きを実現できる。
なお、第１レール部(30)を円弧状としてもよい。
【００１３】
ベース部(20)の後端には、図５及び図９に示すように、上向きに左右一対のブラケット(32)(32)が突設されており、該ブラケット(32)(32)の上端には、後述するリクライニング可動部(50)のレール部(以下「第２レール部(60)(60)」という)に嵌まるローラ部(以下「第１ローラ部(34)(34)」という)が回動自在に軸支されている。第１ローラ部(34)(34)は、夫々ゴム又は樹脂材料から形成することができる。
【００１４】
ベース部(20)の下面は、図３及び図４に示すように、２条の凹部(22)(22)が形成されており、各凹部(22)(22)には、車輪(40)(40)が軸支され、足用マッサージ機(10)を床面に沿って前後に移動可能となっている。
【００１５】
リクライニング可動部(50)は、内部中空の樹脂製ケーシング(51)から形成される。ケーシング(51)は、下側が前方に向けて突出し、後端側が上向きに突出している。ケーシング(51)には、図１及び図４等に示すように、被施療者の足先を挿入する左右一対の凹状受部(70)(70)と、各凹状受部(70)(70)の後端から連続し、被施療者のふくらはぎを挿入する脚受部(74)(74)が凹設されている。凹状受部(70)(70)間及び脚受部(74)(74)間には、中央壁(78)が立設されている。凹状受部(70)(70)及び脚受部(74)(74)には、後述するとおり、被施療者にマッサージを施すマッサージ手段が配備される。
【００１６】
リクライニング可動部(50)の後端左右には、図５、図６及び図９等に示すように、前記ベース部(20)の第１ローラ部(34)(34)が嵌まる第２レール部(60)(60)が形成されている。第２レール部(60)は、後方に向けて膨らむ方向に湾曲した断面矩形形状であり、後面側に長手方向に沿う幅狭のスリット(61)が形成されている。
第２レール部(60)(60)は、湾曲形状であればよく、図示の実施例では、円弧状としている。円弧状とする場合、円弧角度は、約９０〜１２０°とすることが望ましい。また、前記ベース部(20)の第１レール部(30)(30)と同じ湾曲形状としてもよいし、曲率や長さ、円弧角度等を変えて形成してもよい。
【００１７】
また、リクライニング可動部(50)の前後方向における中央の左右には、前記ベース部(20)の第１レール部(30)に嵌まる第２ローラ部(64)(64)が回動自在に軸支されている。第２ローラ部(64)(64)は、夫々ゴム又は樹脂材料から形成することができる。
【００１８】
凹状受部(70)(70)及び脚受部(74)(74)の側面、底面には、マッサージ手段が配備される。本実施例では、マッサージ手段として、図９に示すように、凹状受部(70)(70)の底面に、指圧子(85)(85)、凹状受部(70)(70)の側面及び脚受部(74)(74)の側面、底面にエアバッグ(80)(81)(82)を配置している。なお、マッサージ手段であるエアバッグ(80)(81)(82)は、図９にのみ示している。
【００１９】
指圧子(85)は、図９、図１７乃至図１９に示すように、凹状受部(70)の底面に前後方向に長く開設された長孔(72)から出没可能且つ長孔(72)に沿って前後に移動可能に配備される。具体的には、後述する図１７乃至図１９に示すように、指圧子(85)は、下端がケース(86)に収容されたエアバッグ(83)に連結されており、左右の凹状受部(70)(70)の指圧子(85)(85)に対応する左右のケース(86)を接続プレート(87)で連結し、接続プレート(87)の中央部を、凹状受部(70)の底面に沿って前後に平行に軸支されたネジ軸(88)に、ネジ筒(図示せず)を介して接続されている。ネジ軸(88)は、減速機構(89a)を介してモータ(89)(図９参照)に接続されている。ネジ軸(88)が回転すると、接続プレート(87)が前後移動し、指圧子(85)が長孔(72)に沿って移動する。図９、図１７乃至図１９、及び、後述する図２４、図２５では、指圧子(85)が最も前方と後方へ移動した様子を示す。
モータ(89)は、中央壁(78)の下側に設けることができる。後述するとおり、リクライニング可動部(50)の重心を前方側に位置させるために、モータ(89)は、図９に示すように、リクライニング可動部(50)の前方側に配置することが望ましい。
また、リクライニング可動部(50)の重心を前方側に位置させるために、指圧子(85)の収容されるケース(86)は、電源オフのときに、凹状受部(70)の最も前方側まで移動して停止するように設定しておくことが望ましい。
【００２０】
さらに、重心位置については、被施療者が凹状受部(70)に足裏を付けて立ち上がったときに、リクライニング可動部(50)がぐらつくことを防止するために、被施療者の荷重が凹状受部(70)に加えられた状態で、図１１に示すように、リクライニング可動部(50)の全体の重心位置が、第２ローラ部(64)よりも前方に位置するように調整することが望ましい。
被施療者が、凹状受部(70)に足裏を付けて立ち上がる場合に、被施療者による荷重は、図１１に示すように、つま先側に加わるから、リクライニング可動部(50)の全体の重心が、図示のとおり、支点となる第２ローラ部(64)よりも前方に位置することで、リクライニング可動部(50)が後方に回転してしまうことはなく、被施療者が凹状受部(70)に立ち上がっても、リクライニング可動部(50)が最も起立した状態となり、ぐらつくことはない。
【００２１】
左右の凹状受部(70)(70)及び脚受部(74)(74)に配置されたエアバッグ(80)(81)(82)及び指圧子(85)を出没させるエアバッグ(83)は、夫々配管に接続され、リクライニング可動部(50)のケーシング(51)内に侵入している。各配管には、電磁弁が接続されている。電磁弁から伸びる配管は、ベース部(20)に伸びて、エアポンプ(12)に接続される。なお、電磁弁よりも上流側の配管は、１又は数本にまとめて、エアポンプ(12)に接続させることが望ましい。これにより、リクライニング可動部(50)とベース部(20)とを繋ぐ配管の数を減らすことができる。
【００２２】
電磁弁は、プランジャーがリクライニング可動部(50)の揺動方向に対して垂直且つ床面に対して水平な向きに往復移動できるように配置することが望ましい。プランジャーの往復移動方向を上記のように設定することで、リクライニング可動部(50)の揺動により傾斜しても、電磁弁の誤作動や作動不良を回避できる。
なお、電磁弁は、ベース部(20)側に設けることもできる。
【００２３】
上述のように、本発明の足用マッサージ機(10)は、湾曲した第１レール部(30)(30)及び第２レール部(60)(60)によって、リクライニング可動部(50)をベース部(20)に対して揺動可能としている。従って、被施療者が足先を凹状受部(70)に挿入し、ふくらはぎを脚受部(74)に挿入した状態で、椅子に腰掛けたり、寝転ぶと、ふくらはぎの角度が変わり、図１２に示すように、リクライニング可動部(50)が揺動する。第１レール部(30)(30)及び第２レール部(60)(60)を図７、図９のような形状としているから、図１２に示すように、揺動の際にリクライニング可動部(50)が後方へ移動しにくい。特に、足用マッサージ機(10)の後側は、リクライニング可動部(50)の揺動によって、後方に突出しないから、後に椅子等の障害物(90)があっても、当たることなく、リクライニング可動部(50)を揺動させることができ、マッサージを受けることができる。
【００２４】
また、ベース部(20)に車輪(40)(40)を設けたことにより、図１３に示すように、被施療者が寝転んで、足を曲げた状態で、リクライニング可動部(50)に足を挿入し、足を伸ばすと、リクライニング可動部(50)が後傾すると共に、足用マッサージ機(10)自体が足に押されて、前方に移動する。従って、被施療者は、足用マッサージ機(10)の位置を予め調節してから足を挿入する必要がなく、所望の角度、位置でマッサージを受けることができる。
【００２５】
なお、リクライニング可動部(50)は、被施療者が足を挿入していない状態で、起立した状態を維持するようにし、且つ、被施療者が足を挿入しやすくすることが望ましい。しかしながら、リクライニング可動部(50)を後傾させた状態で、リクライニング可動部(50)が強く起立する方向に付勢されていると、被施療者が足を挿入し、リクライニング可動部(50)を後傾させたときに、常に、後傾方向に足を突っ張っておく必要があり、マッサージ効果上望ましくない。
従って、リクライニング可動部(50)の重心Ｇが前方(揺動の仮想支点となる揺動中心よりも前方)に位置するように調整し、且つ、図１４に示すように、リクライニング可動部(50)を後傾させた状態で、リクライニング可動部(50)の重心Ｇが、リクライニング可動部(50)に設けられた第２ローラ部(64)のほぼ真上に位置するように調整することで、リクライニング可動部(50)が後傾した状態におけるリクライニング可動部(50)の安定性を高めることできる。
【００２６】
より具体的には、図１４に示すように、リクライニング可動部(50)が最も後傾した状態で、第２ローラ部(64)に作用するリクライニング可動部(50)を起立させようとする力ＦＡに対し、第１ローラ部(34)と第２レール部(60)の接触面Ａ１の角度が略直角(図では９４°)であるため、ＦＡ成分に対して抵抗が大きくなり、リクライニング可動部(50)は静止状態となる。一方、図１５に示すように、リクライニング可動部(50)を少し起立方向に起きあがらせると、リクライニング可動部(50)を起立させようとする力ＦＡ２に対し、第１ローラ部(34)と第２レール部(60)の接触面Ａ２の角度が大きくなり、且つ、重心Ｇも、第２ローラ部(64)よりも前方にくるため、リクライニング可動部(50)は、起立方向の力を受け、さらに、図１６に示すように、リクライニング可動部(50)を起立させようとする力ＦＡ３に対し、第１ローラ部(34)と第２レール部(60)の接触面Ａ３の角度がさらに大きくなり、ＦＡ３に対し抵抗が減少し、且つ、重心Ｇも、図１５に比べてさらに前方にくるため、リクライニング可動部(50)は、自重により起立方向に起きあがるようにすることができる。
【００２７】
なお、上記では、重心の位置及びレール部(30)(60)とローラ部(34)(64)との位置関係、接触角度の関係によって、リクライニング可動部(50)が自ら起立するようにしているが、バネやゴム等の弾性手段を用いて付勢するようにしてもよい。この場合、リクライニング可動部(50)は、起立方向の付勢力を受けるようにしておき、リクライニング可動部(50)が最も後傾したときには、付勢力が解除されるようなスナップアクション機構を有する構成としてもよい。
【００２８】
ベース部(20)に配置された車輪(40)(40)は、図３及び図４に示すように、被施療者がマッサージを受ける際に、足用マッサージ機(10)の位置や、リクライニング可動部(50)の角度を調整する場合には好適であるが、被施療者が椅子などに腰掛けて足用マッサージ機(10)によりマッサージを受ける場合に、足用マッサージ機(10)に足を挿入する際又はマッサージが終了し、足用マッサージ機(10)から足を抜き取る際に、リクライニング可動部(50)の凹状受部(70)に被施療者が立ち上がると、車輪(40)(40)が転動し、足用マッサージ機(10)が動いてしまうことがある。
そこで、ベース部(20)に、ベース部(20)が前後に動くことを防止するブレーキ手段(42)を形成することが望ましい。ブレーキ手段(42)は、足用マッサージ機(10)に所定値以上の荷重が加わったときにのみ、ブレーキが作用する構成とすることがより望ましい。
【００２９】
ブレーキ手段(42)として、図１７乃至図１９に示すように、リクライニング可動部(50)が最も起立した場合にのみ作用するものを例示できる。図示のブレーキ手段(42)は、ベース部(20)に開設された貫通孔(23)に配備される。ブレーキ手段(42)は、ゴム等の床面に対して滑りにくい材料からなるブレーキ部材(43)を有する。
ブレーキ部材(43)は、円柱状の部材を例示することができる。ブレーキ部材(43)の上端側は、リクライニング可動部(50)が起立した状態で効率よく接触するために、リクライニング可動部(50)のケーシング(51)の傾斜に合わせて、少し後方側が低くなっており、下端側は、床面と接触したときに、最大のブレーキ効果を得るために、床面と平行になっている。ブレーキ部材(43)の上端及び下端には、滑り止めのために凹凸を多数形成している。
ブレーキ部材(43)の周面には、鍔(44)が突設されており、ブレーキ部材(43)の上端及び下端が夫々出没可能な収容ケース(45)に収納されている。収容ケース(45)内には、ブレーキ部材(43)を上向きに付勢するコイルバネ等の付勢手段(46)が配備されており、該付勢手段(46)によって、ブレーキ部材(43)の鍔(44)を上向きに付勢している。収納ケース(45)は、貫通孔(23)内に配備される。
【００３０】
上記構成のブレーキ手段(42)は、図１７に示すように、リクライニング可動部(50)が後傾している場合には、付勢手段(46)の付勢力により、ブレーキ部材(43)の下端が収容ケース(45)内に没しているが、図１８に示すように、リクライニング可動部(50)を起立させると、リクライニング可動部(50)のケーシング(51)下面がブレーキ部材(43)の上端に当接し、さらに、リクライニング可動部(50)の凹状受部(70)に、被施療者が立ち上がった場合など、図１９に示すように、最も起立して所定値以上の荷重が加わった状態となると、ブレーキ部材(43)が、付勢手段(46)の付勢力に抗して、リクライニング可動部(50)のケーシング(51)下面に押されて、ブレーキ部材(43)の下端が、床面に当接して、ブレーキが作用する。
従って、被施療者が凹状受部(70)に立ち上がったときに、車輪(40)(40)によって、足用マッサージ機(10)が前後に動いてしまうことはないので、転倒等を防止できる。
【００３１】
＜実施例２＞
上記実施例では、ベース部(20)に第１レール部(30)、リクライニング可動部(50)に第２レール部(60)を設けているが、図２０及び図２１に示すように、ベース部(20)に第１レール部(30)及び第２レール部(60)を形成し、リクライニング可動部(50)に第１ローラ部(34)及び第２ローラ部(64)を配備する構成としてもよい。もちろん、リクライニング可動部(50)に第１レール部(30)及び第２レール部(60)を設けて、ベース部(20)に第１ローラ部(34)及び第２ローラ部(64)を配備する構成とすることもできる。
【００３２】
＜実施例３＞
図２２及び図２３は、ブレーキ手段(42)の異なる実施例を示している。
図２２に示すブレーキ手段(42)は、ベース部(20)の下面に車軸(47)が取り付けられる凹部(24)を形成し、車輪(40)が凹部(24)から出没可能な構成としている。車軸(47)は、上下にスライド可能となっており、且つ、車軸(47)に取り付けられた車輪(40)は、コイルバネ等の付勢手段(49)によって下向きに付勢されている。また、ベース部(20)の下面には、ゴム等の滑り止め手段(48)が取り付けられており、所定値以上の荷重が、ベース部(20)に作用すると、付勢手段(49)の付勢力に抗して、ベース部(20)が下側に移動し、車輪(40)が凹部(24)に押し込まれると共に、滑り止め手段(48)が床面に接地して、ベース部(20)にブレーキが作用する。
【００３３】
また、図２３に示すブレーキ手段(42)は、滑り止め手段(48)を車輪(40)が格納される凹部(24)の側面に設けたものであり、所定値以上の荷重がベース部(20)に作用すると、付勢手段(49)の付勢力に抗して、ベース部(20)が下側に移動し、車輪(40)が凹部(24)に押し込まれて、滑り止め手段(48)と当接することで、車輪(40)の回転を不能とし、ベース部(20)にブレーキが作用するようにしている。
【００３４】
＜実施例４＞
上記実施例１では、リクライニング可動部(50)に凹状受部(70)と脚受部(74)を一体に形成しているが、図２４及び図２５に示すように、凹状受部(70)と脚受部(74)を別体に形成し、脚受部(74)を上下に移動可能且つ前後に傾動可能な連結機構(76)を介して凹状受部(70)に対して、連結してもよい。これにより、被施療者は、脚受部(74)に配備されたマッサージ手段をふくらはぎの所望の高さ位置に調整してマッサージを受けることができる。また、足先とふくらはぎの角度を所望の角度に調整して、マッサージを受けることができる。
さらに、図２４及び図２５に示すように、連結機構(76)とは別に脚受部(74)にふくらはぎと足先の角度調整機能(78)を具備することにより、被施療者は、足先とふくらはぎの角度を所望の角度に調整して、マッサージを受けることができる。
【産業上の利用可能性】
【００３５】
本発明は、凹状受部及び脚受部が形成されたリクライニング可動部を、ベース部に対して揺動させることのできる足用マッサージ機として有用である。
【図面の簡単な説明】
【００３６】
【図１】本発明の足用マッサージ機を斜め前方から見た斜視図である。
【図２】足用マッサージ機を斜め後方から見た斜視図である。
【図３】足用マッサージ機を底面側から見た斜視図である。
【図４】図１の線Ｘ−Ｘに沿う断面図である。
【図５】ベース部からリクライニング可動部を取り外した状態を示す斜視図である。
【図６】リクライニング可動部を下方から見た斜視図である。
【図７】図１の線Ｙ−Ｙに沿う断面図であって、リクライニング可動部が起立した状態を示している。
【図８】図１の線Ｙ−Ｙに沿う断面図であって、リクライニング可動部が後傾した状態を示している。
【図９】図１の線Ｚ−Ｚに沿う断面図であって、リクライニング可動部が起立した状態を示している。
【図１０】図１の線Ｚ−Ｚに沿う断面図であって、リクライニング可動部が後傾した状態を示している。
【図１１】被施療者が立ち上がったときにリクライニング可動部に作用する被施療者の荷重と、リクライニング可動部の全体重心位置を示す説明図である。
【図１２】リクライニング可動部を揺動させた軌跡を示す側面図である。
【図１３】リクライニング可動部に被施療者が足を挿入し、リクライニング可動部を揺動させると共に、ベース部を前後に移動させている説明図である。
【図１４】リクライニング可動部が揺動した際の重心位置を示す説明図である。
【図１５】リクライニング可動部が揺動した際の重心位置を示す説明図である。
【図１６】リクライニング可動部が揺動した際の重心位置を示す説明図である。
【図１７】ブレーキ手段を示す足用マッサージ機の断面図である。
【図１８】ブレーキ手段を示す足用マッサージ機の断面図である。
【図１９】ブレーキ手段を示す足用マッサージ機の断面図である。
【図２０】ベース部にレール部、リクライニング可動部にローラ部を形成した実施例を示す説明図である。
【図２１】ベース部にレール部、リクライニング可動部にローラ部を形成した実施例を示す説明図である。
【図２２】ブレーキ手段の異なる実施例を示す断面図である。
【図２３】ブレーキ手段の異なる実施例を示す断面図である。
【図２４】脚受部を凹状受部に対して上下にスライド可能且つ傾動可能に設けた足用マッサージ機の断面図である。
【図２５】脚受部を凹状受部に対して上下にスライド可能且つ傾動可能に設けた足用マッサージ機の断面図である。
【符号の説明】
【００３７】
(10)  足用マッサージ機
(20)  ベース部
(30)  第１レール部
(34)  第１ローラ部
(40)  車輪
(42)  ブレーキ手段
(50)  リクライニング可動部
(60)  第２レール部
(64)  第２ローラ部
(70)  凹状受部
(74)  脚受部
【図１】
2007268002.tif 000003
【図２】
2007268002.tif 000004
【図３】
2007268002.tif 000005
【図４】
2007268002.tif 000006
【図５】
2007268002.tif 000007
【図６】
2007268002.tif 000008
【図７】
2007268002.tif 000009
【図８】
2007268002.tif 000010
【図９】
2007268002.tif 000011
【図１０】
2007268002.tif 000012
【図１１】
2007268002.tif 000013
【図１２】
2007268002.tif 000014
【図１３】
2007268002.tif 000015
【図１４】
2007268002.tif 000016
【図１５】
2007268002.tif 000017
【図１６】
2007268002.tif 000018
【図１７】
2007268002.tif 000019
【図１８】
2007268002.tif 000020
【図１９】
2007268002.tif 000021
【図２０】
2007268002.tif 000022
【図２１】
2007268002.tif 000023
【図２２】
2007268002.tif 000024
【図２３】
2007268002.tif 000025
【図２４】
2007268002.tif 000026
【図２５】
2007268002.tif 000027